(57)【要約】      （修正有）【課題】接続端子全体を保護するとともに、簡易な構造で接続端子を容易に収納し得る収納部を備えた接続ケーブル一体型ストラップを提供する。【解決手段】接続ケーブル一体型ストラップ１００は、電子機器間に接続して通信や電子機器の充電を行うことができる接続端子１２を両端に備える接続ケーブル１０と、接続端子の両端を収納し得る収納部２０と、からなり、収納部は、接続端子を重ね合わせた状態で挿入し得る開口部２２と、接続端子を密着して包含し得る中空の収納空間２１と、開口部の周囲から中央方向に突出して形成され、接続端子を係止する係止片を有する。【選択図】図１
0003208035.tif 000002
【実用新案登録請求の範囲】
【請求項１】
電子機器に接続する接続端子を両端に備える接続ケーブルと、前記接続端子の両端を重ね合わせた状態で収納する収納部と、からなる接続ケーブル一体型ストラップであって、前記収納部は、弾性を備えた素材から一体的に形成され、前記接続端子の両端を開口部から挿入して前記接続端子全体を包含して収納する収納空間と、前記開口部付近に設けられた前記接続端子と係止する係止片と、を有することを特徴とする接続ケーブル一体型ストラップ。
【請求項２】
収納部に設ける係止片は、開口部周囲から開口部中央方向に突出して形成されることを特徴とする請求項１記載の接続ケーブル一体型ストラップ。
【請求項３】
接続ケーブルのケーブル部は、配線を被覆する布材を有し、該布材が接続端子に固定されていることを特徴とする請求項１記載の接続ケーブル一体型ストラップ。
【考案の詳細な説明】
【技術分野】
【０００１】
本考案は、電子機器間に接続して通信や充電をする接続ケーブルと一体形成された接続ケーブル一体型ストラップに関する。
【背景技術】
【０００２】
近年、コンピュータや携帯電話端末などの電子機器の小型化によって、複数の電子機器を携帯して外出先等で使用する傾向が顕著になっている。それに伴い、電子機器間に接続して通信することや電子機器を充電することができる接続ケーブルを携帯すると便利であるが、この接続ケーブルを鞄等に入れておくと内部で散乱したり、絡まったりしてしまい非常に不便であった。
【０００３】
そこで、上記欠点を解決するために、鞄等に仕舞わずに身に付けることができる接続ケーブルと一体的に形成される種々の身の回り品が提案されている。例えば特許文献１には、伝送線３０両端の伝送コネクター３１はハウジング１０の収容設置空間内に入れることができ、収容設置空間内の係合部品２０によって、伝送線３０両端の伝送コネクター３１をハウジング１０中に係合し、伝送線３０を首に掛けることが可能なリング部とすることが開示されている。
【先行技術文献】
【特許文献】
【０００４】
【特許文献１】実用新案登録第３１８８９３６号公報
【考案の概要】
【考案が解決しようとする課題】
【０００５】
しかしながら、上記特許文献１記載のハウジング１０と係合部品２０を介して伝送線コネクター３１をハウジング内に収納するものであって、伝送線コネクター３１と係合部品２０とが係合する凹槽３２を有している。そのため、伝送線コネクター３１に係合部品２０と係合するための構造を形成する必要があるとともに、係合部品２０等の部品点数が多くなってしまう欠点がある。また、ストラップという身に付けるものであり、ハウジング１０内に伝送線コネクター３１全体を収納していないため、雨などに濡れて破損する恐れがある。
【０００６】
したがって、接続端子全体を保護するとともに、簡易な構造で接続端子を容易に収納し得る収納部を備えた接続ケーブル一体型ストラップを提供することを目的とする。
【課題を解決するための手段】
【０００７】
本考案は、上記課題に鑑み、電子機器に接続する接続端子を両端に備える接続ケーブルと、前記接続端子の両端を重ね合わせた状態で収納する収納部と、からなる接続ケーブル一体型ストラップであって、前記収納部は、弾性を備えた素材から一体的に形成され、前記接続端子の両端を開口部から挿入して前記接続端子全体を包含して収納する収納空間と、前記開口部付近に設けられた前記接続端子と係止する係止片と、を有することを特徴とするものである。
【０００８】
また、上述した構成に加え、収納部に設ける係止片は、開口部周囲から開口部中央方向に突出して形成されることが好ましい。
【０００９】
また、上述した構成に加え、接続ケーブルのケーブル部は、配線を被覆する布材を有し、該布材が接続端子に固定されていることが好ましい。
【考案の効果】
【００１０】
請求項１記載の考案によれば、電気的接続する箇所のみならず接続端子全体を保護することが可能な収納部を有する接続ケーブル一体型ストラップを提供することが可能である。
【００１１】
請求項２記載の考案によれば、収納部が扉等に挟まって接続ケーブル一体型ストラップが緊張した状態において、収納部の係止片が弾性変形して接続端子と収納部とが外れることで、使用者の首などが接続ケーブルで締め付けられることを防止することが可能である。
【００１２】
請求項３記載の考案によれば、接続ケーブル一体型ストラップを使用者の首に掛けた状態において、使用者にとって快適に身につけることが可能である。そして、接続ケーブルに過大な応力が作用することを回避し、接続ケーブルの断線を防止することができる。
【図面の簡単な説明】
【００１３】
【図１】本考案の実施形態に係る接続ケーブル一体型ストラップの一例を示す分解斜視図である。
【図２】図１の接続端子と収納部の拡大斜視図である。
【図３】図１の接続端子を重ね合わせて収納空間に収納した状態を示す斜視図である。
【図４】図３の収納状態の内部構造を示すA−A線断面図である。
【図５】図３の接続ケーブル一体型ストラップの接続端子を収納した状態において、ケーブル部を首に掛けてネックストラップとして使用した状態であり、(a)収納部に名札入れを係合したもの、及び、(b)環部材をケーブル部に通して、該環部材に名札入れを取付けたもの、を示す概念図である。
【考案を実施するための形態】
【００１４】
本考案の接続ケーブル一体型ストラップ１００の一例について、図面に基づいて詳細に説明する。
【００１５】
接続ケーブル一体型ストラップ１００は、図１に示すように、電子機器間（図示しない）に接続して通信や電子機器の充電を行うことができる接続端子１２、１２を両端に備える接続ケーブル１０と、該接続端子１２、１２の両端を収納し得る収納部２０と、を主要部として構成するものである。
【００１６】
この接続端子１２、１２は、一般的なUSB端子などであって、電気的に接続する配線１１ｂが並列に配設された端子本体１２ａ、１２ａと、この端子本体１２ａ、１２ａを覆うプラスチックなどから形成された端子本体カバー１２ｂ、１２ｂと、からなるものである（図１及び図４参照）。
【００１７】
収納部２０は、図２に示すように、合成ゴムなどの弾性を備える素材から形成された筒状の角柱体であり、接続端子１２、１２の平坦部を重ね合わせた状態で挿入し得る開口部２２と、接続端子１２、１２である端子本体１２ａ、１２ａと端子本体カバー１２ｂ、１２ｂとを密着して包含し得る中空の収納空間２１を有する。
【００１８】
この収納部２０には、接続端子１２、１２を重ね合わせた状態で開口部２２より挿入して収納空間２１に収納した状態において、開口部２２周囲から開口部２２中央方向に突出して形成され、端子本体カバー１２ｂ、１２ｂの端子本体１２ａ、１２ａと反対側の側面と接触して係止する係止片２３を有するものである（図３及び図４参照）。
【００１９】
また、接続ケーブル１０のケーブル部１１は、布材１１ａによって配線１１ｂを被覆するとともに、該布材１１ａを接続端子１２、１２に固定されることが好ましい。
【００２０】
また、収納部２０は、開口部２２との反対側に位置し、物品と係合するリング状の係合部２４を有することが好ましい。
【００２１】
本考案の接続ケーブル一体型ストラップ１００を、ネックストラップとして、収納部２０の係合部２４に名札入れ３０を取付け、ケーブル部１１を首に掛けて身に付けた使用状態を図５(a)に示し、環部材３１をケーブル部１１に通し、該環部材３１に名札入れ３０を取付けて、ケーブル部１１を首に掛けて身につけた使用状態を図５(b)に示す。
【００２２】
この使用状態において、名札入れ３０やケーブル部１１が扉などに挟まってしまったとしても、収納部２０と一体的に突出して形成された係止片２３が弾性変形し、接続端子１２、１２の端子本体カバー１２ｂ、１２ｂとが離れることで、収納空間２１から接続端子１２、１２から自ずと取り出されることで、ケーブル部１１が使用者の首を締める恐れがなく安全に使用することが可能であるとともに、ケーブル部１１に過大な力が作用することを回避することができる。また、ケーブル部１１の配線１１ｂを布材１１ａで被覆することによって、直接に配線１１ｂが首回りに触れることなく快適に身につけることが可能である。
【００２３】
本考案の接続ケーブル一体型ストラップ１００の使用状態としてネックストラップを説明したが、ケーブル部１１を所望の長さにするとともに、携帯電話などの電子機器と係合させることで、例えば、手首に引っ掛けて身につけるアームストラップして使用することも可能である。
【符号の説明】
【００２４】
１００…接続ケーブル一体型ストラップ、１０…接続ケーブル、１１…ケーブル部、１１ａ…布材、１１ｂ…配線、１２…接続端子、１２ａ…端子本体、１２ｂ…端子本体カバー、２０…収納部、２１…収納空間、２２…開口部、２３…係止片、２４…係合部、３０…名札入れ、３１…環部材
【図１】
0003208035.tif 000003
【図２】
0003208035.tif 000004
【図３】
0003208035.tif 000005
【図４】
0003208035.tif 000006
【図５】
0003208035.tif 000007